(57)【要約】【課題】ディスプレイ台上に載置した商品見本の冷温状態を表す冷温パターンの表示を、庫内の商品収納室の冷温状態を設定する販売モード設定信号に連動して変更する。【解決手段】庫内に温蔵，冷蔵された商品を販売する自動販売機に係り、ディスプレイ台５上に左右に並べて一列に載置された複数の商品見本６に対応して冷温パターンを表示する自動販売機の冷温表示装置において、無端の冷温パターン表示体１００には、周方向に沿って商品の冷蔵，温蔵状態をあらわす「つめたい」の文字とその背景色が寒色（青）および「あたたかい」の文字とその背景色が暖色（赤）に印刷された冷温パターンを表示し、この冷温パターン表示体１００をディスプレイ台５に取付けられた回転駆動手段により周回可能に配置し、販売モード設定信号に連動させて回転駆動手段を作動することにより冷温パターン表示体１００を周回させて商品見本６の冷温状態を自動的に変更する。【選択図】      図１
2004178542.tif 000002
【特許請求の範囲】
【請求項１】
庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、
光透過材料からなり、ディスプレイ台に載置された一列分の商品見本に対応した冷温パターンがそれぞれ表示された無端の冷温パターン表示体と、
前記ディスプレイ台に載置された一列分の商品見本に対応した冷温パターンがディスプレイ台の前面に表示されるように前記冷温パターン表示体が架け渡され、前記冷温パターン表示体を回動させる回動駆動手段と、
庫内に収納された商品の冷温販売モードの切り替えに応じて各商品見本に対応した所定の冷温パターンが前記ディスプレイ台の前面に表示されるように前記回動駆動手段を制御する制御手段と、
を備えたことを特徴とする自動販売機の冷温表示装置。
【請求項２】
前記回動駆動手段は、前記冷温パターン表示体が架け渡される駆動部材および従動部材と、前記駆動部材に連結されたモータからなることを特徴とする請求項１に記載の自動販売機の冷温表示装置。
【請求項３】
前記制御手段は、前記冷温販売モード設定信号と前記冷温パターン表示体の基準位置信号とに基づいて、前記回動駆動手段を制御することを特徴とする請求項１または２に記載の自動販売機の冷温表示装置。
【請求項４】
前記冷温パターン表示体は、帯状体の両端を超音波溶着により互いに接合して、無端に形成したものであることを特徴とする請求項１〜３のいずれか一つに記載の自動販売機の冷温表示装置。
【請求項５】
前記冷温パターン表示体は、予め前記冷温パターンが表示された無端状体を周方向に沿って裁断して複数に分割したものであることを特徴とする請求項１〜３のいずれか一つに自動販売機の冷温表示装置。
【発明の詳細な説明】
【０００１】
【発明の属する技術分野】
この発明は、自動販売機における本体キャビネットの庫内に缶，壜，ペットボトルなどの商品を冷蔵，温蔵状態に区分して保存し、外扉のディスプレイ室内に設置したディスプレイ台上に複数の商品見本を左右に並べて展示し、該商品見本に対応して商品の冷温状態を表示する冷温表示装置に関し、詳しくは、庫内の冷温の設定に連動して自動的に冷温表示を切り替える自動販売機の冷温表示装置に関する。
【０００２】
【従来の技術】
図７は本発明の実施対象となる自動販売機の構成を示す。図において、１は前面が開放した断熱筐体として形成されるとともに庫内が仕切壁により左右に複数の商品収納室に区分され、その各室に缶，壜，ペットボトルなどの商品を収納した商品ラックを収設するとともに各商品収納室の下部に冷却／加熱ユニットを配備して各商品収納室を冷却若しくは加熱して商品ラックに収納した商品を冷蔵，温蔵状態に保存する本体キャビネット、２は本体キャビネット１の前面に開閉可能に取付けられた外扉である。この外扉２の上部域にはディスプレイ室４が形成され、このディスプレイ室４は前面が透明板３で覆われ、背面が外扉２に開閉可能に取付けられた中扉との間に形成されている。この中扉には、複数の商品見本６を左右に並べて一列に載置したディスプレイ台５が上下方向に複数段、この場合には３段に並べて設置されており、中扉を外扉２と一体になるように閉じた際に、自動販売機の前面からディスプレイ室４内の商品見本６が透明板３を介して透視される。７は透明板３に取付けられ、各商品見本６に対応して設けられた商品選択ボタンであり、８はポスターなどを展示する広告部である。なお、前記外扉２の前面には、周知のように、硬化投入口，紙幣投入口，金銭返却レバー，釣銭返却口，商品取出口，ロック付きハンドルなどが設けられている。
【０００３】
次に、前記商品見本６は庫内の商品に対応している。そして、庫内（商品）の温蔵，冷蔵状態は商品見本６に対応して設けられた冷温表示により表示され、その表示状態を、ディスプレイ台５の一部を拡大した図１０に示す（従来例１）。
【０００４】
図において、ディスプレイ台５は、下面が開放した横長の箱状に形成されるとともにその内部に左右の側壁に取付けられたソケットに装着される蛍光灯が配備され、ディスプレイ台５の図では見えない背面壁が中扉に固着して取付けられている。
【０００５】
ディスプレイ台５の上面に形成した孔に商品見本６が取付けられ、前面壁５ａにはそれぞれの商品見本６に対応して表示窓５ｂが穿孔され、その表示窓５ｂの上部側には価格表示板９が貼着されており、また、ディスプレイ台５の前面壁５ａには側面が開口したスリット状の支持溝５ｃが形成されている。１０は光透過材料からなる一枚の帯状シートの上下に白抜きの「ＨＯＴ」「ＣＯＬＤ」の文字が上下逆さまになるように表示され、「ＨＯＴ」の背景色が暖色（赤色）に、「ＣＯＬＤ」の背景色が寒色（青色）に表示された冷温表示板である。この冷温表示板１０は、ディスプレイ台５の支持溝５ｃに側面から差し込まれ、「ＨＯＴ」または「ＣＯＬＤ」の文字が表示窓５ｂに現れるようにセットされ、ディスプレイ台５の内部に配備された蛍光灯により表示窓５ｂから「ＨＯＴ」または「ＣＯＬＤ」の文字が明るく表示される。また、冷温表示板１０のディスプレイ台５への支持方法として、ディスプレイ台５の前面壁５ａの裏面にヘアピン状の折り返し部を形成し、この折り返し部に冷温表示板１０を裏面から差し込んでセットし、前記折り返し部で冷温表示板１０を（ディスプレイ台５の前面壁の裏面との間に）挟持するようにしたものもある（例えば、特許文献１参照）。
【０００６】
また、冷温表示の方法として、庫内商品の冷蔵，温蔵状態に合わせて自動的に冷温表示を行うものも知られている（例えば、特許文献２）。この従来装置（従来例２）においては、ディスプレイ台の内部に組み込まれた左右一対の巻取ドラムに帯状の冷温パターン表示体が巻きつけられている。前記冷温パターン表示体は透光性のフィルムからなり、長手方向に冷温パターンが区分して表示されるとともに該冷温パターンがディスプレイ台の表示窓に臨むように配置されている。そして、一対の巻取ドラムにはモータが連結され、このモータのコントローラが庫内の冷温を切り替える冷温販売モード設定スイッチからの販売モード指令（又は、リモートコントローラからの販売モード指令）に基づいてモータを回転制御し、冷温パターン表示体による冷温の表示を冷温販売モードに合わせて自動的に切り替える。
【０００７】
さらに、ディスプレイ台上に左右方向に並べて載置された商品見本ごとに冷温状態の表示を行うようにしたものも知られている（例えば、特許文献３）。この従来装置（従来例３）においては、無端状の透明フィルムからなる表示体の周方向に複数箇所に冷温パターンを表示し、この表示体をホルダに支持された左右一対のローラ（又は、四角形の四隅の位置に配置された支持ピン）に架け渡し、ホルダの前側から冷温パターンの一方が表示されるようにしたものであり、冷温パターンの切り替えは表示体を手動で操作するものである。
【０００８】
【特許文献１】
特開２０００−１３７８５９号公報
【特許文献２】
特開平６−１０３４４８号公報
【特許文献３】
特開２００１−１２６１２８号公報
【０００９】
【発明が解決しようとする課題】
前述した従来例１においては、外扉や中扉の開閉時の衝撃により冷温表示板１０が左右にずれたり、抜けたりするのを防止するため、冷温表示板１０を接着テープで固定している。また、ディスプレイ台５の前面壁５ａの裏面にヘアピン状の折り返し部を形成したものでは、折り返し部による挟持力を利用して冷温表示板１０を固定している。ところで、自動販売機に保存される商品の冷蔵，温蔵状態の割合は季節に応じて変更されることから、ディスプレイ台５の冷温の表示もその都度変更する必要があり、その変更は冷温表示板１０をディスプレイ台５から引き抜いた後に上下を反転させて再びディスプレイ台５に装着することにより行われる。従って、冷温表示板１０を接着テープで固定して支持する方式では冷温表示板１０の装着は簡単であるが、接着テープの再現性がないことから恒久性がなく、ルートマンが冷温表示の変更の都度接着テープを持参しなければならない。また、折り返し部により冷温表示板１０を挟持して支持する方式では、冷温表示板１０の着脱の際に帯状に冷温表示板１０の全体に均一に力を加えるのが困難であることから、その着脱の際に冷温表示板１０が破損する可能性がある。
【００１０】
また、従来例２においては、従来例１のように手動で冷温表示板の表示切り替えを行わなければならないので煩雑であるという問題を解消するものである。しかしながら、冷温表示の切り替えは一般的に季節の変わり目などに行われることから、約半年毎に行われる。このため、従来例２においては、帯状の冷温パターン表示体は、約半年の期間、巻取ドラムに巻きつけられており、写真フィルムに見られるように、丸まろうとしてしまう。この状態は巻取ドラムの半径が小さいほど強く現れるので、巻取ドラムの半径を大きくしようとすると、巻取ドラムに巻きつけられた冷温パターン表示体が嵩張ってしまう。このため、巻取ドラムが組み込まれるディスプレイ台の寸法、それも奥行き方向の寸法が大きくなり、薄形化が要求される自動販売機に適用することが困難である。そして、冷温パターン表示体を巻取ドラムに巻き取る量により冷温パターンの切り替えを行うため、他方の巻取ドラムには常時冷温パターン表示体を巻き込む方向にばね付勢されているが、前述した冷温パターン表示体の丸まりを矯正するためにばね付勢力を大きくせねばならない。したがって、巻取ドラムを駆動するモータの容量を大きくせねばならないという問題を有する。
【００１１】
さらに、従来例３においては、従来例２のように表示体の丸まりやモータの問題を解決できるものである。しかしながら、ディスプレイ台に載置された数十もの商品見本ごとに表示体が設けられており、それぞれの表示体を手動操作して切り替えを行わねばならないこと、また、その手動操作の際には外扉を開放して外扉の裏面側から表示体を操作せねばならないことから、外扉の前方に必要とするパターンが正確（左右にずれがないよう）に位置しているかを外扉の前面に回って確認しなければならないことから煩雑である。また、外扉の裏面に回ると外扉の前方から見た場合と左右が逆になることから、手動操作しようとする表示体の位置を一瞬間違えたり、戸惑ったりするおそれがある。そして、表示体がフリーな状態にあると、商品の販売動作に関連する振動により表示体が移動してしまうおそれがある。一方、フリーな状態をなくすためにはストッパを設けたり、ローラの回転が容易に回転しないように軸受けの摩擦を大きくしなければならず、ストッパを設ける場合には部品点数が増加し、軸受けの摩擦力を大きくすると手動操作の障害となるという問題を有する。
【００１２】
この発明は、上記に鑑みてなされたものであって、ディスプレイ台上に表示した冷温パターンの表示を、庫内側で設定した冷温販売モードの変更に合わせて簡単な操作で切り替えられる自動販売機の冷温表示装置を提供することを目的とする。
【００１３】
【課題を解決するための手段】
上述の目的を達成するために、この発明の請求項１にかかる自動販売機の冷温表示装置は、庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、光透過材料からなり、ディスプレイ台に載置された一列分の商品見本に対応した冷温パターンがそれぞれ表示された無端の冷温パターン表示体と、前記ディスプレイ台に載置された一列分の商品見本に対応した冷温パターンがディスプレイ台の前面に表示されるように前記冷温パターン表示体が架け渡され、前記冷温パターン表示体を回動させる回動駆動手段と、庫内に収納された商品の冷温販売モードの切り替えに応じて各商品見本に対応した所定の冷温パターンが前記ディスプレイ台の前面に表示されるように前記回動駆動手段を制御する制御手段とを備えたことを特徴とするものである。これにより、手動で冷温表示板の表示を切り替える煩雑さから開放され、自動販売機の取り扱い性が向上する。
【００１４】
また、前記回動駆動手段は冷温パターン表示体が架け渡される駆動部材および従動部材と、前記駆動部材に連結されたモータにより形成することができ（請求項２）、さらに、制御手段は冷温販売モード設定信号と冷温パターン表示体の基準位置信号とに基づいて回動駆動手段を制御するように構成するのがよい（請求項３）。
【００１５】
前記冷温パターン表示体は、帯状体の両端を超音波溶着により互いに接合して、無端に形成することができ（請求項４）、あるいは予め前記冷温パターンが表示された無端状体を周方向に沿って裁断して複数に分割することにより、無端に形成することができる（請求項５）。
【００１６】
【発明の実施の形態】
この発明にかかる光透過材料からなる無端の冷温パターン表示体は、少なくとも半周の長さがディスプレイ台に載置された一列分の商品見本に対応した長さを有し、半周ごとに冷温のパターン、すなわち、白抜きの「ＨＯＴ」（または「あたたかい」）の文字の背景色が暖色（赤色）に、白抜きの「ＣＯＬＤ」（または「つめたい」）の文字の背景色が寒色（青色）にそれぞれ印刷されている。この無端の冷温パターン表示体が架け渡される回動駆動手段は、モータに連結された駆動部材（例えば、駆動プーリ）と従動部材（例えば、従動プーリ）からなり、モータ，駆動プーリ，従動プーリはディスプレイ台に取付けられる。この場合、駆動プーリ，従動プーリは架け渡された冷温パターン表示体における少なくとも半周分がディスプレイ台の前面に現れるように設置される。これにより、ディスプレイ室の前方からディスプレイ台に載置された一列分の商品見本に対応した冷温パターンが目視可能である。そして、モータを駆動することにより冷温パターン表示体は駆動プーリ，従動プーリの間を周回してディスプレイ台の前面に現れる冷温パターンが変更される。
【００１７】
この発明に係る制御手段はＣＰＵにより構成されている。庫内における各商品収納室の冷却／加熱ユニットは外扉の裏面に設けられた冷温販売モード設定スイッチまたは外部のリモートコントロールから発信される販売モード設定信号により制御され、冷温販売モード信号が「ＣＯＬＤ」の場合には冷却ユニットが作動し、冷温販売モード信号が「ＨＯＴ」の場合には加熱ユニットが作動する。前記制御手段はその冷温販売モード信号を一つの入力として回転駆動手段のモータを所定方向に駆動する。冷温パターン表示体には基準点（例えば、冷温パターン表示体に形成した孔）を設け、前記モータの駆動による冷温パターン表示体の周回によってその基準点を検知するスイッチ（例えば、光電センサ）を設け、このスイッチの作動により基準位置信号が制御手段に入力される。このスイッチからの基準位置信号を入力した制御手段はモータの駆動を停止する。制御手段は前記冷温販売モード信号が入力されると同時に冷温パターン表示体が基準位置から冷温販売モード信号に対応する位置まで周回されるためのモータへの通電時間を演算しており、基準位置信号の入力により停止したモータに所定の駆動指令を出力してモータを作動させる。これにより冷温パターン表示体は冷温販売モード信号による庫内における商品収納室の冷温の切り替えに連動して自動的に対応する商品見本の冷温状態を表示する。
【００１８】
（実施例）
以下、この発明にかかる自動販売機の冷温表示装置の実施の形態につき図面を参照しつつ詳細に説明する。なお、この実施の形態によりこの発明が限定されるものではない。
【００１９】
図１は、この発明の実施の形態にかかる冷温表示装置を搭載したディスプレイ台の斜視図、図２は図１の平面断面図、図３は図１の側面断面図、図４は冷温パターン表示体の概略図、図５は制御手段のブロック図、図６は制御手段の動作を示すフローチャートである。なお、以下の説明において、すでに説明した部材と同一もしくは相当する部材には、同一の符号を付して重複説明を省略または簡略化する。
【００２０】
図１において、５で再びディスプレイ台を示し、このディスプレイ台５は下面が開放するとともに前面が左右の一部を残して開放した横長の箱形に形成されている。このディスプレイ台５の内部には、図２，図３に示すように、蛍光灯２３が配設され、この蛍光灯２３は左右一対のソケット取付金具２１に取付けられたソケット２２に装着されている。図３に示すように、ソケット取付金具２１は側面から見てＬ字状に形成された一方の脚片２１Ａにソケット２２が取付けられ、また、他方の脚部２１Ｂがディスプレイ室の背面壁を構成する中扉２０にねじ２４により固着されている。この左右一対のソケット取付金具２１を覆うようにディスプレイ台５が配設され、このディスプレイ台５は背面に切り起こしにより形成された係止片５８を中扉２０の穴に係止させることにより中扉２０に取付けられている。１００は本発明に係る冷温パターン表示体であり、図では冷温を表す「つめたい」「あたたかい」などの文字は省略している。この冷温パターン表示体１００の取付けについては次の段落で説明する。なお、前記ディスプレイ台５には、従来装置と同様に、商品見本６がその上面に形成した孔に係合して装着され、商品見本６はディスプレイ台５の上面に左右方向に一列に並べて載置されている。
【００２１】
図２に示すように、前記ディスプレイ台５の内部には、上面から見てその四隅に無端の冷温パターン表示体１００が架け渡される駆動部材としての歯付き駆動プーリ５２（以下、単に駆動プーリと呼ぶこともある）および従動部材としての従動プーリ５３，５４，５５が設けられ、前記駆動プーリ５２は減速歯車機構５６を介してパルスモータ５１（図では従動プーリ５３に隠れて見えない）に連結されている。これらパルスモータ５１，駆動プーリ５２，従動プーリ５３〜５５は回転駆動手段を構成し、それぞれディスプレイ台５に取付けられている。そして、駆動プーリ５２および従動部材としての従動プーリ５３，５４，５５に架け渡された冷温パターン表示体１００はディスプレイ台５の内壁に添って周回するよう配備される。なお、従動プーリ５３〜５５には冷温パターン表示体１００にテンションを付与する機構が設けられているが、図では省略している。
【００２２】
前記駆動プーリ５２および従動プーリ５３〜５５に架け渡される無端の冷温パターン表示体１００は透光性のフィルムからなり、図４に示すように、周方向に沿って自動販売機の庫内における商品収納室に収納された商品の温蔵，冷蔵状態を表す白抜きの「つめたい」「あたたかい」の文字および「つめたい」の文字の背景色が寒色（青色）Ｂに、「あたたかい」の文字の背景色が暖色（赤色）Ｒに印刷された冷温パターンが表示されている。なお、図４では「つめたい」の文字が印刷された面が見えているが、その背面に「あたたかい」の文字が印刷されているものである。また、冷温パターン表示体１００には「つめたい」「あたたかい」の文字の下段に商品価格を表す価格表示ＳＰが印刷により施されているとともに上下の縁には周方向に沿って一定間隔で穿孔された角穴１０１が設けられ、この角穴１０１が駆動プーリ５２の歯と噛み合わされる。なお、この実施例では角穴１０１が上下の縁に形成されているものについて示しているが、下側のみに形成してもよく、この場合には図３から明らかなように、透明板３に取付けられた商品選択ボタン７の背後に位置することから自動販売機の前方からは商品選択ボタン７に隠れて見えないので、体裁を整えることができる。なお、この実施例において、上側の縁に形成した角穴１０１を隠すため、ディスプレイ台５の前面の角穴１０１に対応する位置に桟を形成することもできる。また、角穴１０１は丸穴とすることもできる。
【００２３】
前記冷温パターン表示体１００の冷温パターンは、ディスプレイ台５に載置された一列分の商品見本６に対応した冷温パターンがそれぞれ表示されている。すなわち、ディスプレイ台５に載置された商品見本６のすべてが冷蔵状態である場合および商品見本６のすべてが温蔵状態である場合に対応して「つめたい」の連続パターンと「あたたかい」の連続パターンとして冷温パターンが表示されている。したがって、この無端の冷温パターン表示体１００は駆動プーリ５２がパルスモータ５１により駆動されることによりディスプレイ台５の周りを周回し、ディスプレイ台５に載置した商品見本６のすべてが冷温状態である「つめたい」の表示、ディスプレイ台５に載置した商品見本６のすべてが温蔵状態である「あたたかい」の表示や、例えば、ディスプレイ台５に１０個の商品見本６が載置されており、左側の５個が温蔵状態、右側の５個が冷温状態の場合にはディスプレイ台５の中央に「あたたかい」の連続パターンと「つめたい」の連続パターンの境界が位置し、左側に「あたたかい」，右側に「つめたい」の冷温パターンが表示される。冷温パターン表示体１００の冷温パターンおよび価格表示はディスプレイ台５の内部に配備された蛍光灯２３により「あたたかい」または「つめたい」の文字および背景色が明るく表示される。
【００２４】
前記冷温パターン表示体１００における「あたたかい」の連続パターンと「つめたい」の連続パターンの境界には基準点を表す基準位置孔１０２が穿孔されており、この基準位置孔１０２を検出する基準位置検出器として反射型光電スイッチ５７（図２参照）が設けられている。この光電スイッチ５７の基準位置信号は、庫内における各商品収納室に収納された商品の温蔵状態もしくは冷蔵状態を設定する冷温販売モード設定スイッチまたは外部からのリモートコントロールから発信される販売モード設定信号に連動して冷温パターン表示体１００を周回させ、ディスプレイ台５に載置された商品見本６の冷温状態を自動的に切り替えるために後述する制御手段に入力される。
【００２５】
なお、冷温パターン表示体１００の基準位置を検出する手段としては、冷温パターン表示体１００に穿孔した基準位置孔１０２をマイクロスイッチで検出する方法や、冷温パターン表示体１００に磁性材料を貼着してリードスイッチ，マグネットスイッチで検出する方法などがあり、前記した実施例に限定されるものではない。
【００２６】
図５はパルスモータ５１を制御する制御手段のブロック図であり、制御手段６０はＣＰＵにより構成されている。この制御手段６０には、庫内における各商品収納室に収納された商品の温蔵状態もしくは冷蔵状態を設定する外扉の裏面に設けた冷温販売モード設定スイッチまたは外部のリモートコントローラから発信される冷温販売モード信号が入力されるとともに冷温パターン表示体１００の基準点を検出する光電スイッチ５７からの基準位置信号が入力される。また、制御手段６０には駆動回路５１ａを介してパルスモータ５１が接続されている。
【００２７】
次に、図６のフローチャートを用いて制御手段６０の制御手順を説明するとともに冷温パターン表示体１００の冷温パターンの切り替えについて説明する。なお、このフローチャートは通常の販売モードでは起動されず、設定モードにおいて起動されるものである。
【００２８】
図６のフローチャートが起動されると制御手段６０はステップＳ１において販売モード設定信号の入力の有無を判断する。販売モード設定信号が入力されるとステップＳ１からステップＳ２に進んでパルスモータ５１を駆動する。このパルスモータ５１の駆動により駆動プーリ５２を介して冷温パターン表示体１００は駆動されて所定方向、例えば、図２において時計方向に周回を開始する。冷温パターン表示体１００が周回を開始するとステップＳ３では光電スイッチ５７からの入力信号を監視し、光電スイッチ５７から基準位置信号（光電スイッチ５７からの入力信号がＯＮからＯＦＦへ変化した時点）が入力するとステップＳ４に進んでパルスモータ５１の駆動を停止する。これによって冷温パターン表示体１００は「あたたかい」の連続パターンと「つめたい」の連続パターンの境界が光電スイッチ５７と対峙する位置、すなわち、基準位置に周回して停止する。
【００２９】
一方、販売モード設定信号が入力されてステップＳ１からステップＳ２に進むと同時にステップＳ５にも進む。ステップＳ５では販売モード設定信号に基づいて庫内における各商品収納室に収納された商品の温蔵状態もしくは冷蔵状態を判別する。そして、ステップＳ６に進んで販売モード設定信号に対応してディスプレイ台５に載置された商品見本６の冷温状態を表示するために冷温パターン表示体１００を周回させるパルスモータ５１への通電時間が演算される。次に、ステップＳ７においては、制御手段６０から駆動回路５１ａに出力される信号を監視してパルスモータ５１が停止したかどうかを判断し、パルスモータ５１の停止を待つ。ステップＳ７においてパルスモータ５１の停止が判別されるとステップＳ８に進み、ステップＳ６で演算したパルスモータ５１の通電時間に対応した駆動指令が駆動回路５１ａに出力されてパルスモータ５１が回転する。パルスモータ５１の回転により冷温パターン表示体１００が周回を開始し、パルスモータ５１への通電が終了すると冷温パターン表示体１００が所定の位置で周回を停止する。これにより、販売モード設定信号により設定された庫内における各商品収納室に収納された商品の温蔵状態もしくは冷蔵状態に対応してディスプレイ台５に載置された商品見本６の冷温状態が冷温パターン表示体１００により表示される。
【００３０】
前述した実施例においては、冷温パターン表示体１００における「あたたかい」の連続パターンと「つめたい」の連続パターンの境界に基準点を表す基準位置孔１０２を穿孔し、この基準位置孔１０２を基準位置検出器５７で検出するとともに販売モード設定信号に基づいて演算された通電時間によりパルスモータ５１を制御する制御方法について説明したが、冷温パターン表示体１００に、基準点に加えてそれぞれの冷温パターン（それぞれの「あたたかい」「つめたい」の文字）ごとに検知用孔を穿孔するとともにその検知用孔を検出する一つの位置検出器を設け、基準点に位置する冷温パターン表示体１００を周回させて位置検出器からの検出信号をカウントすることによりモータの動作を制御するようにすることもでき、要するに基準位置から設定位置に位置決めできるものであれば制御方法は限定されないものである。
【００３１】
また、冷温パターン表示体１００には「あたたかい」「つめたい」の文字および背景色に加えて価格表示ＳＰを印刷したものについて述べたが、この価格表示ＳＰとして価格が表示されたシールを貼着することもできる。また、冷温パターン表示体１００には価格表示を施さずに、ディスプレイ台５の開放した前面に桟を設け、この桟に価格が表示されたシールを貼着したり、前記桟に溝を形成して価格表示板を装着するようにすることもでき、また、価格表示ＳＰを透明とし、それぞれの背後に７セグメントのＬＥＤを個別に配置し、該ＬＥＤにより価格を表示することもできる。
【００３２】
ところで、前述した実施例における冷温パターン表示体１００は、上述したように、駆動プーリ５２および従動プーリ５３，５４，５５に架け渡された状態において、駆動プーリ５２に対する弛みを防止するためのテンション（張力）が常時付与される。しかも、この冷温パターン表示体１００は、上述した冷温表示装置に配備されて、長期間、例えば１０年以上に渡って使用されるものである。このため、この冷温パターン表示体１００としては、長期間に渡って、付与される張力に対して十分な耐張力性を有するものが求められる。
【００３３】
このような性質が求められる冷温パターン表示体１００としては、図８に示す第１形態、あるいは図９に示す第２形態のものを適用することができる。
【００３４】
図８に示した冷温パターン表示体１００Ａは、帯状の透光性フィルム（帯状体）１００ａの両端を超音波溶接によって互いに接合したものである。具体的には、帯状の透光性フィルム１００ａの両端を互いに重ね合わせて無端とした状態において、その重ね合わせた部分（図８中、ハッチングにより例示）を超音波振動により発生した摩擦熱で溶融して、母材どうしを接合したものである。なお、この冷温パターン表示体１００Ａは、上述した冷温パターン表示体１００と同様の構成を有しており、図８中、同一の符号を付してその構成に対する詳細な説明を省略する。
【００３５】
この冷温パターン表示体１００Ａは、超音波溶接により母材どうしを接合して無端に形成したものなので、接着部材、例えば接着テープや接着剤における経時的な接着力低下に伴って接合部が外れるといった事態を招来する虞れがない。従って、この冷温パターン表示体１００Ａを適用した冷温表示装置によれば、長期間に渡って使用する場合であっても、冷温パターン表示体１００Ａにおける接合部が外れて、冷温パターンの切り替えが不能となる事態を確実に防止することが可能になるので、上述した作用、効果を維持する上で極めて有効である。
【００３６】
なお、この冷温パターン表示体１００Ａへの冷温パターンの印刷は、冷温パターン表示体１００Ａを無端状に形成する前に行っても良いし、形成した後に行っても構わない。
【００３７】
図９に示した冷温パターン表示体１００Ｂは、予め冷温パターンを分別表示した無端の透光性フィルム（無端状体）１００ｂを周方向に沿って裁断して、所定の幅を有する無端に形成したものである。ここで、透光性フィルム１００ｂとしては、図９（ａ）からも明らかなように、冷温パターン表示体１００Ｂのものよりも数倍（同図中、５倍の場合を例示）大きな幅を有するものを用いている。すなわち、冷温パターン表示体１００Ｂは、無端の透光性フィルム１００ｂを周方向に沿って裁断して、複数に分割することにより得られる。なお、この冷温パターン表示体１００Ｂは、上述した冷温パターン表示体１００と同様の構成を有しており、図９（ｂ）中、同一の符号を付してその構成に対する詳細な説明を省略する。
【００３８】
この冷温パターン表示体１００Ｂは、帯状の透光性フィルムの両端を接合して形成したものではないので、接合部が外れるという問題を招来する虞れがない。従って、この冷温パターン表示体１００Ｂを適用した冷温表示装置によれば、長期間に渡って使用する場合であっても、上述した作用、効果を確実に維持することが可能になる。
【００３９】
しかも、この冷温パターン表示体１００Ｂは、帯状の透光性フィルムの両端を接合して形成したものではないので、その内外周面上に接合による継ぎ目が生じない。従って、この冷温パターン表示体１００Ｂを適用した冷温表示装置によれば、上記の継ぎ目に伴う設計上の制約、例えば、冷温パターンのレイアウトや表示窓５ｂの形状に対する設計上の制約を招来する虞れがないので、一層好ましいものとなる。
【００４０】
また、この冷温パターン表示体１００Ｂは、予め冷温パターンを印刷した無端の透光性フィルム１００ｂを裁断して複数に分割したものであるので、個別に冷温パターンを印刷する場合に比べて、製造コストを低減する上で有利なものとなる。
【００４１】
【発明の効果】
以上説明したようにこの発明によれば、庫内に収納した商品を温蔵，冷蔵状態に保存して販売する自動販売機であって、ディスプレイ台上に左右に並べて一列に載置された複数の商品見本に対応して冷温パターンを表示する自動販売機の冷温表示装置において、光透過材料からなり、ディスプレイ台に載置された一列分の商品見本に対応した冷温パターンがそれぞれ表示された無端の冷温パターン表示体と、前記ディスプレイ台に載置された一列分の商品見本に対応した冷温パターンがディスプレイ台の前面に表示されるように前記冷温パターン表示体が架け渡され、前記冷温パターン表示体を回動させる回動駆動手段と、庫内に収納された商品の冷温販売モードの切り替えに応じて各商品見本に対応した所定の冷温パターンが前記ディスプレイ台の前面に表示されるように前記回動駆動手段を制御する制御手段とを備えたことにより、手動で冷温表示板の表示を切り替える煩雑さから開放され、自動販売機の取り扱い性が向上するとともに庫内の商品収納室のみの冷蔵状態もしくは温蔵状態を切り替え、冷温パターン表示の切り替えをわすれるというような事態を防止でき、取り扱い性が格段に向上する。
【００４２】
また、この発明では、庫内に収納した商品の冷温販売モードの切り替えに応じて、ディスプレイ台に載置された一列分の商品見本に対応した冷温パターンがそれぞれ表示された無端の冷温パターン表示体を周回させることによって、各商品見本に対応した所定の冷温パターンが前記ディスプレイ台の前面に表示されるようにしている。従って、この発明によれば、冷温販売モードの切り替えに応じて、つまり庫内運転の状況の切り替えに応じて、ディスプレイ台に載置した商品見本のすべてが冷温状態の表示、ディスプレイ台に載置した商品見本のすべてが温蔵状態の表示、あるいは、例えばディスプレイ台に１０個の商品見本が載置されている場合に、左側の５個が温蔵状態の表示、右側の５個が冷温状態の表示となるように設定できる。すなわち、冷温販売モードの切り替えに応じて、前記冷温パターン表示体を周回させ、任意の位置で停止させることにより、ディスプレイ台に載置した複数の商品見本に対して表示する冷温パターンの比率を任意に設定することが可能になる。
【００４３】
また、この発明における冷温パターン表示体は、帯状体の両端を超音波溶着によって接合して、あるいは無端状体を周方向に沿って裁断して、無端に形成したものである。従って、この発明によれば、長期間に渡って使用する場合であっても、冷温パターンの切り替えが不能となる事態を確実に防止することが可能になる。
【図面の簡単な説明】
【図１】この発明の実施の形態にかかる冷温表示装置を搭載したディスプレイ台の斜視図である。
【図２】図１のディスプレイ台の平面断面図である。
【図３】図１のディスプレイ台の側面断面図である。
【図４】冷温パターン表示体の概略図である。
【図５】この発明の制御手段を示すブロック図である。
【図６】図５の制御手段の動作を示すフローチャートである。
【図７】この発明が対象とする自動販売機の正面図である。
【図８】この発明の冷温パターン表示体における第１形態を示す概略図である。
【図９】この発明の冷温パターン表示体における第２形態を示すもので、図９（ａ）は透光性フィルムの概略図、図９（ｂ）は冷温パターン表示体の概略図である。
【図１０】従来の自動販売機における冷温表示装置を示す説明図である。
【符号の説明】
５        ディスプレイ台
６        商品見本
５１      パルスモータ
５２      歯付き駆動プーリ（駆動部材）
５３〜５５      従動プーリ（従動部材）
５６      減速歯車機構
５７      基準位置検出器（反射型光電スイッチ）
１００，１００Ａ，１００Ｂ      冷温パターン表示体
１００ａ，１００ｂ      透光性フィルム
【図１】
2004178542.tif 000003
【図２】
2004178542.tif 000004
【図３】
2004178542.tif 000005
【図４】
2004178542.tif 000006
【図５】
2004178542.tif 000007
【図６】
2004178542.tif 000008
【図７】
2004178542.tif 000009
【図８】
2004178542.tif 000010
【図９】
2004178542.tif 000011
【図１０】
2004178542.tif 000012